(57)【要約】【課題】カードの一部が削れる事態を発生させることなく、カードの不所望な飛び出しを防止すること。【解決手段】凹部７０３を有するカードが装着されるハウジングと、カードの挿入方向及び排出方向に移動可能に配設されたスライド部材５０１と、スライド部材５０１をカードの排出方向へ付勢する圧縮ばね５０２と、圧縮ばね５０２の付勢力に抗してスライド部材５０１をカードの装着位置及び排出位置に係止する係止部材５０３とを具備するカード用コネクタ１において、スライド部材５０１にカードの凹部７０３と係合する樹脂製の係合部５０６ａを設ける一方、ハウジングにカードを係合部５０６ａ側に付勢する付勢片３０２を設け、ハウジング内でカードの凹部７０３が係合部５０６ａに係合するためのカードの移動を許容したことを特徴とする。【選択図】図１３
2011060572.tif 000002
【特許請求の範囲】
【請求項１】
被係合部を有するカードが装着されるハウジングと、前記カードの挿入方向及び排出方向に移動可能なスライド部材と、前記スライド部材を前記カードの排出方向へ付勢する付勢部材と、前記付勢部材の付勢力に抗して前記スライド部材をカードの装着位置及び排出位置に係止する係止部材とを具備し、
前記スライド部材に前記カードの被係合部と係合する樹脂製の係合部を設ける一方、前記ハウジングに前記カードを前記係合部側に付勢する付勢部を設け、前記ハウジング内で前記カードの被係合部が前記係合部に係合するための前記カードの移動を許容したことを特徴とするカード用コネクタ。
【請求項２】
前記ハウジングの一部を金属製のカバー部材で構成し、前記カバー部材の一部に前記付勢部を設けたことを特徴とする請求項１記載のカード用コネクタ。
【請求項３】
前記付勢部を、前記カードに設けられた金属部分に接触して当該カードの接地を確保する接地用ばねで構成したことを特徴とする請求項２記載のカード用コネクタ。
【請求項４】
前記係合部を、前記カードの挿入方向に沿って設けられた薄肉部に対応する位置に配置したことを特徴とする請求項１から請求項３のいずれかに記載のカード用コネクタ。
【請求項５】
前記カードの被係合部に対する前記係合部の係脱により前記カードの挿抜に伴うクリック感触を生起させたことを特徴とする請求項１から請求項４のいずれかに記載のカード用コネクタ。
【発明の詳細な説明】
【技術分野】
【０００１】
本発明は、カード用コネクタに関し、特に、カードの排出時におけるカードの飛び出しを防止可能なカード用コネクタに関する。
【背景技術】
【０００２】
従来、カードの排出時におけるカードの飛び出しを防止するカード用コネクタが知られている（例えば、特許文献１参照）。このカード用コネクタにおいては、ケースの所定位置にカードが挿入された場合に、スライド部材に設けた金属ばねからなる係合片をカードの凹部に係合させることで、カードの飛び出しを防止するように構成されている。
【先行技術文献】
【特許文献】
【０００３】
【特許文献１】特開２００５−２０３２３１号公報
【発明の概要】
【発明が解決しようとする課題】
【０００４】
しかしながら、上述したような従来のカード用コネクタにおいては、金属ばねからなる係合片をカードの外形を構成する樹脂ケースの凹部に係合させていることから、カードの一部が削れてしまい、品位を損なうという問題がある。
【０００５】
本発明は、このような問題点に鑑みてなされたものであり、カードの一部が削れる事態を発生させることなく、カードの不所望な飛び出しを防止することができるカード用コネクタを提供することを目的とする。
【課題を解決するための手段】
【０００６】
本発明のカード用コネクタは、被係合部を有するカードが装着されるハウジングと、前記カードの挿入方向及び排出方向に移動可能なスライド部材と、前記スライド部材を前記カードの排出方向へ付勢する付勢部材と、前記付勢部材の付勢力に抗して前記スライド部材をカードの装着位置及び排出位置に係止する係止部材とを具備し、前記スライド部材に前記カードの被係合部と係合する樹脂製の係合部を設ける一方、前記ハウジングに前記カードを前記係合部側に付勢する付勢部を設け、前記ハウジング内で前記カードの被係合部が前記係合部に係合するための前記カードの移動を許容したことを特徴とする。
【０００７】
上記カード用コネクタによれば、カードの被係合部に係合する樹脂製の係合部を有するスライド部材を、付勢部材の付勢力に抗して排出位置に係止可能とする一方、ハウジング内で被係合部が係合部に係合するための移動を許容しながらカードを係合部側に付勢させていることから、金属ばねからなる係合片を係合させる場合のようにカードの樹脂ケースに過度の負荷を与えることなくカードを保持できるので、カードの一部が削れる事態を発生させることなく、カードの不所望な飛び出しを防止することが可能となる。
【０００８】
上記カード用コネクタにおいては、前記ハウジングの一部を金属製のカバー部材で構成し、前記カバー部材の一部に前記付勢部を設けることが好ましい。この場合には、カバー部材の一部に付勢部が設けられることから、カードを係合部側に付勢するための特別な構成を用意する必要がなくなるので、コネクタを構成する部品点数を低減すると共にその製造コストを低減することが可能となる。
【０００９】
上記カード用コネクタにおいては、前記付勢部を、前記カードに設けられた金属部分に接触して当該カードの接地を確保する接地用ばねで構成することが好ましい。この場合には、カードを係合部側に付勢する付勢部の機能を接地用ばねに持たせることができるので、カバー部材の構成を簡略化することが可能となる。
【００１０】
上記カード用コネクタにおいては、前記係合部を、前記カードの挿入方向に沿って設けられた薄肉部に対応する位置に配置することが好ましい。この場合には、カードの薄肉部に対応するスライド部材の位置に係合部が設けられていることから、薄肉部の近傍に形成される空間を有効に利用でき、カード用コネクタの厚さ寸法をコンパクトに設計することが可能となる。
【００１１】
上記カード用コネクタにおいては、前記カードの被係合部に対する前記係合部の係脱により前記カードの挿抜に伴うクリック感触を生起させることが好ましい。この場合には、カードの被係合部に対する係合部の係脱によりクリック感触を生起させることができるので、クリック感触用の部材を用意する必要がなくなるので、コネクタを構成する部品点数を低減すると共にその製造コストを低減することが可能となる。
【発明の効果】
【００１２】
本発明によれば、カードの被係合部に係合する樹脂製の係合部を有するスライド部材を、付勢部材の付勢力に抗して排出位置に係止可能とする一方、ハウジング内で被係合部が係合部に係合するための移動を許容しながらカードを係合部側に付勢させていることから、金属ばねからなる係合片を係合させる場合のようにカードの樹脂ケースに過度の負荷を与えることなくカードを保持できるので、カードの一部が削れる事態を発生させることなく、カードの不所望な飛び出しを防止することが可能となる。
【図面の簡単な説明】
【００１３】
【図１】本発明の一実施の形態に係るカード用コネクタの外観を示す斜視図である。
【図２】上記実施の形態に係るカード用コネクタの内部の構成を説明するための斜視図である。
【図３】上記実施の形態に係るカード用コネクタの内部の構成を説明するための上面図である。
【図４】上記実施の形態に係るカード用コネクタが有するスライド部材の側面図である。
【図５】上記実施の形態に係るカード用コネクタのケースに選択的に装着されるカードＡの上面図（ａ）及び下面図（ｂ）である。
【図６】上記実施の形態に係るカード用コネクタのケースに選択的に装着されるカードＢの上面図（ａ）及び下面図（ｂ）である。
【図７】上記実施の形態に係るカード用コネクタにカードＢを挿入した場合の動作について示す上面図である。
【図８】上記実施の形態に係るカード用コネクタにカードＢを挿入した場合の動作について示す上面図である。
【図９】上記実施の形態に係るカード用コネクタにカードＢを挿入した場合の動作について示す上面図である。
【図１０】上記実施の形態に係るカード用コネクタにカードＡを挿入した場合の動作について示す上面図である。
【図１１】図１０に示す状態のカード用コネクタのカード挿入口周辺の側断面図である。
【図１２】上記実施の形態に係るカード用コネクタにカードＡを挿入した場合の動作について示す上面図である。
【図１３】図１２に示す状態のカード用コネクタのカード挿入口周辺の側断面図である。
【図１４】上記実施の形態に係るカード用コネクタにカードＡを挿入した場合の動作について示す上面図である。
【図１５】図１４に示す状態のカード用コネクタのカード挿入口周辺の側断面図である。
【発明を実施するための形態】
【００１４】
以下、本発明の一実施の形態について添付図面を参照して詳細に説明する。なお、本実施の形態に係るカード用コネクタ（以下、単に「コネクタ」という）は、複数種類のカードを選択的に装着可能とするものである。例えば、本実施の形態に係るコネクタにおいては、ＳＤ（secure digital）カード、ＭＭＣ（Multi Media Card）カード、メモリースティックカードの３種類のカードが装着可能に構成されている。
【００１５】
ここで、ＳＤカードには、例えば、BluetoothやPHSなどを利用した無線通信機能などのデータ記録以外の様々な機能を追加可能なＳＤＩＯ（Secure Digital Input/Output）カードも含まれるものとする。以下の説明においては、このＳＤＩＯをＳＤカードの例として利用して説明をするものとする。また、ＭＭＣカードは、その厚さが僅かに薄い点を除き、ＳＤカードと略同様の形状を有するため、本実施の形態に係るコネクタにおいては、同一の態様で装着される。以下においては、適宜、ＳＤカード及びＭＭＣカードを「カードＡ」と呼び、メモリースティックカードを「カードＢ」と呼ぶものとする。本実施の形態に係るコネクタにおいて、カードＡが検出対象カードを構成し、カードＢが非検出対象カードを構成するものである。
【００１６】
図１は、本発明の一実施の形態に係るコネクタ１の外観を示す斜視図である。なお、以下においては、適宜、図１に示す紙面右下方側を「コネクタ１の前方側」又は単に「前方側」と呼び、同図に示す紙面左上方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１７】
図１に示すように、本実施の形態に係るコネクタ１は、合成樹脂材料などの絶縁材料を成型して形成されるケース２と、金属薄板材料に打ち抜き加工及び折り曲げ加工などを施して形成されるカバー部材３とを備えている。コネクタ１においては、これらのケース２とカバー部材３とでハウジングが構成される。ケース２は、概して偏平な直方体形状を有しており、その上方側及び前方側に開口した空間を有している。カバー部材３は、ケース２の上方側の開口部に対応する形状を有しており、ケース２の上方側から被せられる。これらを組み合わせることにより、コネクタ１は、前方側にのみ開口した形状となり、この開口部でカード挿入口４が構成される。なお、カバー部材３は、合成樹脂材料などの絶縁材料を成型して形成しても良い。
【００１８】
カバー部材３の前方側の中央部には、カード挿入口４を介して装着されたカードを引き抜き易くするための切り欠き部３０１が形成されている。また、カバー部材３の上面には、複数の付勢片３０２が形成されている。これらの付勢片３０２は、僅かに下方側に折り曲げられ、ケース２内に挿入されたカードＡ、並びに、後述する排出機構５の係止部材５０３を上方側から付勢する。なお、カバー部材３の前方側端部近傍に形成された付勢片３０２は、カードＡの接地を確保するためにも利用される。さらに、カバー部材３の上面には、装着されたカードＡに対する書込み許容状態で後述する検出機構６の当接部６０２を初期位置に支持する支持片３０３が形成されている。さらに、カバー部材３の側面には、後述するケース２の係合片２０３と係合する複数の開口部３０４が形成されている。これらの開口部３０４にケース２の係合片２０３が係合することで、ケース２に対してカバー部材３が固定されることとなる。
【００１９】
以下、本実施の形態に係るコネクタ１の内部の構成について説明する。図２は、本実施の形態に係るコネクタ１の内部の構成を説明するための斜視図である。図３は、本実施の形態に係るコネクタ１の内部の構成を説明するための上面図である。なお、図２及び図３においては、説明の便宜上、図１に示す状態のコネクタ１からカバー部材３を取り除いた場合について示している。
【００２０】
図２及び図３に示すように、ケース２の内部には一定の空間が形成されており、この空間の一部で複数種類のカードが装着可能な空間（以下、適宜「カード装着空間」という）が構成される。この空間には、複数種類のカードに対応するコンタクト端子、複数種類のカードの排出を行う排出機構５、並びに、カードＡの書き込みの許否状態を検出する検出機構６が配設されている。ケース２内の空間において、排出機構５は、カード装着空間の右方側の位置に配設されており、検出機構６は、カード装着空間の左方側の位置に配設されている。複数種類のカードに対応するコンタクトは、カード挿入口４からのカードの挿入経路上に適宜配設されている。
【００２１】
ケース２は、コネクタ１の底面部を構成するベース部２０１と、コネクタ１の側端部において、このベース部２０１から上方側に垂直に立設された側壁部２０２とを有している。ベース部２０１には、詳細について後述するように、複数種類のカードに対応するコンタクトが設けられると共に、これらのコンタクトを保護するための構成が形成されている。側壁部２０２の外側面には、カバー部材３の開口部３０４と係合する複数の係合片２０３が形成されている。また、側壁部２０２の前面部の内側面は、カード挿入口４の一部を規定するものであり、主にカードＡの挿入をガイドする第１ガイド部２０４と、カードＢの挿入をガイドする第２ガイド部２０５とが形成されている。第１ガイド部２０４は、側壁部２０２の上端側に形成されており、挿入時におけるカードＡの側面及び下面をガイドするように構成されている。一方、第２ガイド部２０５は、第１ガイド部２０４よりも下方側に形成され、挿入時におけるカードＢの側面及び下面をガイドするように構成されている。
【００２２】
左方側の側壁部２０２には、カードＡの書込み防止機能の状態を検出する検出機構６を収容する収容部２０６が形成されている。収容部２０６は、カード挿入口４側の位置に配設されており、検出機構６の一部を内部側に露出させた状態で検出機構６を収容する。右方側の側壁部２０２における後面部の内側面には、排出機構５の一部を構成する圧縮ばね５０２の一端を保持する保持片２０７が形成されている。保持片２０７は、コネクタ１の前方側に向かって一定長さだけ延在している。また、この後面部には、排出機構５の一部を構成する係止部材５０３の一端を係止する係止穴２０８が形成されている。この係止穴２０８は、係止部材５０３の一端が上方側から差し込まれるように構成されている。
【００２３】
ケース２の後壁部２０９には、カードＢ用のコンタクト端子（以下、適宜「カードＢ用コンタクト」という）２１０がコネクタ１の左右方向に整列して設けられている。カードＢ用コンタクト２１０は、基端部が後壁部２０９に固定される一方、先端部がコネクタ１の前方側であって僅かに上方側に延在し、一定範囲で上下方向に揺動可能となっている。カードＢ用コンタクト２１０の先端部には上方側に向けて突出する湾曲形状部２１１が設けられており、その頂部２１１ａの近傍でカードＢの接触パッドと接触するように構成されている。なお、これらのカードＢ用コンタクト２１０の一端は、ケース２の後壁部２０９の後方側からコネクタ１の外部に導出され、カードＢに対する信号を入出力可能に構成されている。
【００２４】
また、ケース２のベース部２０１の中央近傍には、コネクタ１の左右方向に整列して複数のカードＡ用のコンタクト端子（以下、適宜「カードＡ用コンタクト」という）２１２が設けられている。カードＡ用コンタクト２１２は、基端部がベース部２０１に固定される一方、先端部がコネクタ１の後方側であって僅かに上方側に延在し、一定範囲で上下方向に揺動可能となっている。また、カードＡ用コンタクト２１２の先端部には、カードＢ用コンタクト２１０と同様に、上方側に向けて突出する湾曲形状部２１３が設けられており、その頂部２１３ａの近傍でカードＡの接触パッドと接触するように構成されている。
【００２５】
カードＡ用コンタクト２１２には、カードＡの装着の有無を検出する一対のカード検出用のコンタクト端子（以下、「検出用コンタクト」という）２１４、２１５が含まれている。これらの検出用コンタクト２１４、２１５は、カードＡの同一の接触パッドに接触可能に構成されており、カードＡの挿入に伴ってこれらの検出用コンタクト２１４、２１５間の導通状態が切り替わることを利用してカードＡの装着を検出するように構成されている。
【００２６】
また、一方の検出用コンタクト２１４の湾曲形状部２１４ａよりも前方側には、張出部２１４ｂが、湾曲形状部２１４ａから離間して形成されている。張出部２１４ｂは、カードの挿入方向と直交する方向（コネクタ１の左方向）に張り出すように形成されている。張出部２１４ｂは、カードＢの挿入に伴って後述する仕切り壁８０４の下面に当接して仕切り壁８０４の高さ方向に検出用コンタクト２１４を移動させ、検出用コンタクト２１４を検出用コンタクト２１５から仕切り壁８０４の高さ方向に離間させる役割を果たすものとなっている。
【００２７】
ケース２のベース部２０１には、カードＡ用コンタクト２１２と、カードＢ用コンタクト２１０との間に、コネクタ１の左右方向に整列して、カードＢ用コンタクト２１０を保護するための複数の突出片２１６が設けられている。複数の突出片２１６は、カードＢの挿入時にカードＢ用コンタクト２１０がカードＢにより座屈しないように保護するものである。また、最も左方側に配置された突出片２１６の左方側には、カードＢにおける逆方向での挿入を防止するための突出壁２１７が設けられている。突出壁２１７は、カードＢが適切な方向で挿入された場合には、カードＢの下面に形成される凹部に収容される。一方、カードＢが逆方向に挿入された場合には、カードＢの先端部に当接することで、カードＢの逆方向での挿入を防止する。
【００２８】
排出機構５は、スライド部材５０１と、付勢部材としての圧縮ばね５０２と、係止部材５０３とから構成されている。スライド部材５０１は、概して、コネクタ１の前後方向に延在する直方体形状を有しており、ケース２の右方側の側壁部２０２に沿って前後方向にスライド可能に構成されている。排出機構５は、使用者によるカードに対する押圧操作に応じて、カードをコネクタ１における所定の装着位置から排出位置に移動させる役割を果たすものである。
【００２９】
圧縮ばね５０２は、後方側の端部がケース２の保持片２０７に保持され、前方側の端部がスライド部材５０１の下面側の不図示の保持片に保持されており、スライド部材５０１を前方側に付勢する付勢力を付与している。係止部材５０３は、その前端部及び後端部で下方側に折り曲げられた形状を有している。後方側の一端がケース２の係止穴２０８に差し込まれ、前方側の一端がスライド部材５の上面に形成されたガイド溝５１１と係合している。係止部材５０３は、圧縮ばね５０２による付勢力に抗してスライド部材５０１の前方側への移動を規制する役割を果たすものである。係止部材５０３の上部には、カバー部材３の付勢片３０２が載置され、係止部材５０３は、ガイド溝５１１に係合するよう下方側に僅かに付勢された状態となっている。
【００３０】
スライド部材５０１には、カードＡの右方側の先端部と当接する第１当接部５０４、並びに、カードＢの右方側の先端部と当接する第２当接部５０５が設けられている。第１当接部５０４は、カードＡの先端部の形状に応じた傾斜面で構成されており、第２当接部５０５は、スライド部材５０１の先端部からカード装着空間に突出して設けられ、カードの挿入方向に垂直な平面で構成されている。スライド部材５０１は、これらの第１当接部５０４、第２当接部５０５でカードＡ、カードＢと当接し、使用者による各カードの挿入動作に伴ってコネクタ１の前後方向にスライド可能に構成されている。
【００３１】
また、スライド部材５０１の内側面部には、後述するカードＡの凹部７０３と係合する係合部５０６ａを有する板状部５０６がカード装着空間に突出して設けられている。板状部５０６は、カード挿入方向に沿って延在して設けられ、概してその上面がケース２の第１ガイド部２０４の下面と平行するように、スライド部材５０１に配置されている。これらの第１ガイド部２０４及び係合部５０６は、カードＡの段差部７０８に対応する位置に配置されている。係合部５０６ａは、板状部５０６の前方側の一部に設けられ、板状部５０６の上面よりも僅かに上方側に突出した状態となっている。係合部５０６ａは、カード装着空間に挿入されたカードＡの凹部７０３と係合することで、排出動作時にカードＡが飛び出すことを防止する役割を果たすものとなっている。
【００３２】
図４は、本実施の形態に係るコネクタ１が有するスライド部材５０１の側面図である。図４に示すように、板状部５０６は、スライド部材５０１の前方側端部における下端部近傍に設けられている。板状部５０６よりも後方側であって、第１当接部５０４よりも前方側の位置におけるスライド部材５０１の上端部には、板状に構成された規制部５０７が設けられている。この規制部５０７は、カードＡが挿入された場合にカードＡの上方側への移動を規制する役割を果たす。なお、この規制部５０７の下面と、板状部５０６の上面との厚さ寸法Ｔは、カードＡの厚さ寸法よりも僅かに厚く設定されている。これは、カードＡの挿入過程において、係合部５０６ａが凹部７０３に係合する際に必要となる上下方向の僅かな移動を許容するためである。規制部５０７の後端部の下面には、カードＡの先端部を第１当接部５０４側に誘導するテーパ面５０７ａが形成されている。
【００３３】
スライド部材５０１の上面であって、第１当接部５０４の後方側には、図３に示すように、概してループ状のガイド溝５１１が形成されている。ガイド溝５１１の中央には、概してハート形状を有するハート形カム５１２が設けられている。ガイド溝５１１は、ハート形カム５１２の両側に配置される第１ガイド溝５１３、第２ガイド溝５１４、係止部材５０３を係止する係止部５１５を有する凹み溝５１６、並びに、直線状ガイド溝５１７で構成される。係止部材５０３は、このようなガイド溝５１１をカードの挿入動作に応じて一定方向に進む。なお、ガイド溝５１１における係止部材５０３の案内経路上には、係止部材５０３の逆方向への進行を防止する段差部が形成されている。
【００３４】
このようなガイド溝５１１において、カードが装着されていない場合、係止部材５０３は、図３に示すように、直線状ガイド溝５１７の後方側端部に配置された状態となっている。カードが挿入されると、スライド部材５０１の後方側への移動に伴って係止部材５０３が直線状ガイド溝５１７を介して第１ガイド溝５１３に進む。そして、係止部材５０３が第１ガイド溝５１３の前方側端部に到達する位置までカードが押し込まれると、係止部材５０３は、凹み溝５１６に進んだ後、係止部５１５に係止された状態となる。そして、係止部材５０３が係止部５１５に係止された状態から、更にカードが押し込まれると、係止部材５０３は、凹み溝５１６から第２ガイド溝５１４に進む。そして、第２ガイド溝５１４から直線状ガイド溝５１７に進み、再び、係止部材５０３が直線状ガイド溝５１７の後方側端部に配置された状態となる。
【００３５】
検出機構６は、板状部６０１と、当接部６０２と、不図示の接点部とから構成される。板状部６０１は、ケース２の収容部２０６に収容される。当接部６０２は、板状部６０１の内側面に設けられており、その一部がカードＡの挿入経路上に露出した状態となっている。接点部は、板状部６０１の下方側に配設された固定接点部と、板状部６０１の下面部に揺動可能に固定された可動接点部とから構成されている。例えば、可動接点部は、トーションスプリングで構成され、カードＡの挿入、非挿入状態等に応じて、当接部６０２が変位して板状部６０１の角度を変化させることで、固定接点部との間の導通状態、非導通状態を切り替えるように構成されている。なお、検出機構６の構成については、これに限定されるものではなく適宜変更が可能である。
【００３６】
ここで、本実施の形態に係るコネクタ１のケース２に選択的に装着されるカードＡ、カードＢの構成について説明する。図５は、本実施の形態に係るコネクタ１のケース２に選択的に装着されるカードＡの上面図（ａ）及び下面図（ｂ）である。図６は、本実施の形態に係るコネクタ１のケース２に選択的に装着されるカードＢの上面図（ａ）及び下面図（ｂ）である。
【００３７】
カードＡは、図５（ａ）に示すように、挿入方向の先端部の右方側に切欠き部７０１が設けられている。カードＡの左方側の側縁部には、書き込み状態の許否を切り替える識別子７０２が設けられる一方、右方側の側縁部には、被係合部としての凹部７０３及び金属製の枠部材７０４が設けられている。凹部７０３は、所定位置までカードＡが挿入された場合に、スライド部材５０１の板状部５０６に設けられた係合部５０６ａを収容する位置に設けられている。枠部材７０４は、カード装着空間への挿入過程において、カバー部材３の前方側端部近傍に設けられた付勢片３０２が接触する位置に設けられている。枠部材７０４は、この付勢片３０２との接触によりカードＡの接地を確保する接地用部材として機能する。
【００３８】
また、カードＡの下面であって挿入方向の先端部には、図５（ｂ）に示すように、複数の凹部７０５が設けられ、これらの凹部７０５内に接触パッド７０６が配置されている。そして、これらの凹部７０５の間には、隣接する接触パッド７０６間を仕切る仕切り壁７０７が設けられている。また、カードＡの側縁部には、ケース２の第１ガイド部２０４に案内される薄肉部としての段差部７０８が設けられている。上述した凹部７０３は、この段差部７０８の一部に設けられている。スライド部材５０１の板状部５０６に設けられた係合部５０６ａは、この段差部７０８に対応する位置で凹部７０３に係合するように構成されている。このように段差部７０８に対応するスライド部材５０１の位置に係合部５０６ａを設けていることから、段差部７０８の下方側領域に形成される空間を有効に利用でき、コネクタ１の厚さ寸法をコンパクトに設計することができるものとなっている。
【００３９】
カードＢは、カードＡよりも狭幅肉厚に設けられると共に、カードＡよりも長い形状を有している。カードＢは、図６（ａ）に示すように、挿入方向の先端部の左方側に切欠き部８０１が設けられている。カードＢの下面であって挿入方向の先端部には、図６（ｂ）に示すように、複数の凹部８０２が設けられ、これらの凹部８０２内に接触パッド８０３が配置されている。そして、これらの凹部８０２の間には、隣接する接触パッド８０３間を仕切る仕切り壁８０４が設けられている。また、挿入方向の先端部であって、図６（ｂ）に示す右方側端部には、凹部８０５が設けられ、この凹部８０５の挿入方向の後方側には、略半円形状の凹部８０６が設けられている。
【００４０】
次に、本実施の形態に係るコネクタ１にカードＡ、カードＢを挿入する場合の動作について説明する。図７〜図９は、本実施の形態に係るコネクタ１にカードＢを挿入した場合の動作について示す上面図である。なお、図７〜図９においては、説明の便宜上、カバー部材３を省略している。
【００４１】
図７は、カード装着空間にカードＢを挿入し、カードＢの右方側先端部がスライド部材５０１の第２当接部５０５に当接する直前の状態を示している。カードＢは、ケース２の第２ガイド部２０５に側面及び下面を合わせた状態でカード装着空間に挿入される。図７に示す状態では、カードＢは、スライド部材５０１に当接しておらず、スライド部材５０１は、初期位置（すなわち、最も前方側の位置）に配置された状態となっている。係止部材５０３は、その前方側端部を直線状ガイド溝５１７の後方側端部に配置されている。
【００４２】
図７に示す状態からカードＢを押し込むと、図８に示すように、カードＢの右方側先端部がスライド部材５０１の第２当接部５０５に当接し、これ以降、スライド部材５０１がカードＢと一体的にスライド移動可能とされる。なお、カードＢの右方側先端部が第２当接部５０５に当接した時点では、係止部材５０３は、その前方側端部を直線状ガイド溝５１７の後方側端部に配置した状態を維持している。
【００４３】
図８に示す状態から更にカードＢを押し込むと、カードＢの後方側への移動に伴ってスライド部材５０１は、圧縮ばね５０２の付勢力に抗して移動する。これに伴い、係止部材５０３は、直線状ガイド溝５１７、第１ガイド溝５１３内を摺動する。そして、最も後方側まで押し込んだ後、カードＢを押し込む手を離すと、係止部材５０３の前方側端部が凹み溝５１６の係止部５１５に係止された状態となる。図９は、係止部材５０３が係止部５１５に係止され、カードＢがロックされた状態について示している。
【００４４】
カードＢがロックされた状態においては、カードＢ用コンタクト２１０の湾曲形状部２１１は、カードＢの凹部８０２に入り込み、その頂部２１１ａが接触パッド８０３に接触した状態となっている。カードＢをコネクタ１から抜き取る場合には、一旦、カードＢを更に押し込む。これにより、係止部材５０３が係止部５１５による係止から解放され、スライド部材５０１が圧縮ばね５０２の付勢力に応じて前方側に移動する。これに伴い、係止部材５０３は、第２ガイド溝５１４、直線状ガイド溝５１７内を摺動し、その前方側端部が直線状ガイド溝５１７の後方側端部に配置された状態（図８に示す状態）に戻る。このとき、カードＢは、その前端部をコネクタ１から突出させた状態となっており、操作者は、その前端部を掴んでカードＢを抜き取ることができる。
【００４５】
図１０〜図１５は、本実施の形態に係るコネクタ１にカードＡを挿入した場合の動作を説明するための図である。図１０、図１２及び図１４は、本実施の形態に係るコネクタ１にカードＡを挿入した場合の動作について示す上面図である。なお、図１０、図１２及び図１４においては、説明の便宜上、カバー部材３を省略している。図１１、図１３及び図１５は、それぞれ図１０、図１２及び図１４に示す状態のカード用コネクタのカード挿入口４周辺の側断面図である。なお、図１１、図１３及び図１５においては、カードＡの凹部７０３を通過するカード挿入方向に沿った断面を示している。
【００４６】
図１０は、カード装着空間にカードＡを挿入した直後の状態を示している。カードＡは、ケース２の第１ガイド部２０４に側面及び下面を合わせた状態でカード装着空間に挿入される。図１０に示す状態では、カードＡは、スライド部材５０１に当接しておらず、スライド部材５０１は、初期位置（すなわち、最も前方側の位置）に配置された状態となっている。係止部材５０３は、その前方側端部を直線状ガイド溝５１７の後方側端部に配置されている。
【００４７】
カードＡを挿入した直後においては、図１１に示すように、その右方側先端部がスライド部材５０１の板状部５０６の係合部５０６ａに乗り上げた状態となっている。すなわち、板状部５０６の係合部５０６ａは、カードＡの凹部７０３よりも後方側に配置され、当該凹部７０３から離間した状態となっている。また、カバー部材３に設けられた付勢片３０２は、カードＡの右方側先端部に接触しておらず、カード装着空間内に向けて延出した状態となっている。
【００４８】
図１０に示す状態からカードＡを押し込むと、カードＡの右方側先端部がスライド部材５０１の第１当接部５０４に当接し、これ以降、スライド部材５０１がカードＡと一体的にスライド移動可能とされる。なお、カードＡの右方側先端部が第１当接部５０４に当接した時点では、係止部材５０３は、その前方側端部を直線状ガイド溝５１７の後方側端部に配置した状態を維持している。
【００４９】
カードＡの右方側先端部が第１当接部５０４に当接するのと略同一のタイミングで、板状部５０６の係合部５０６ａは、図１３に示すように、カードＡの凹部７０３に収容され、係合した状態となる。これにより、カードＡの移動は、係合部５０６ａにより規制されることとなり、排出動作時等にカードＡがケース２から飛び出すような事態を防止できるものとなる。このとき、カバー部材３に設けられた付勢片３０２は、カードＡの上面に接触し、カードＡを下方側に付勢した状態となっている。このように付勢片３０２でカードＡを下方側に付勢することにより、カードＡが板状部５０６に押し付けられた状態となり、凹部７０３から係合部５０６ａが外れる事態を防止できるものとなっている。
【００５０】
カードＡの右方側先端部が第１当接部５０４に当接する位置まで押し込まれる際、ハウジング内において、カードＡの凹部７０３がスライド部材５０１に係合部５０６ａに係合するためのカードＡの移動が許容される一方、カバー部材３の付勢片３０２によりカードＡが係合部５０６ａ側に付勢されている。このため、スライド部材５０１の係合部５０６ａがカードＡに対して負荷を与えることはない。また、カバー部材３の付勢片３０２においては、カードＡの凹部７０３に係合した係合部５０６ａの離脱を防止するための相対的に小さな付勢力を付与するだけであるので、カードの飛び出しを防止すべく金属製の係合片を係合させる場合のようにカードＡの表面に大きな負荷がかかることはない。
【００５１】
また、コネクタ１においては、板状部５０６の係合部５０６ａが凹部７０３に収容される際、カードＡが下方側に移動することでクリック感触が生起されるものとなっている。すなわち、今まで係合部５０６ａに乗り上げていたカードＡが板状部５０６の上面に移動する際にクリック感触が付与されるものとなっている。このようにカードＡの凹部７０３に対する係合部５０６ａの係脱によりカードＡの挿抜に伴うクリック感触を生起させるようにしていることから、クリック感触用の部材を用意する必要がなくなるので、コネクタ１を構成する部品点数を低減すると共にその製造コストを低減することができるものとなっている。
【００５２】
図１２に示す状態から更にカードＡを押し込むと、カードＡの後方側への移動に伴ってスライド部材５０１は、圧縮ばね５０２の付勢力に抗して移動する。これに伴い、係止部材５０３は、直線状ガイド溝５１７、第１ガイド溝５１３内を摺動する。そして、最も後方側まで押し込んだ後、カードＡを押し込む手を離すと、係止部材５０３の前方側端部が凹み溝５１６の係止部５１５に係止された状態となる。図１４は、係止部材５０３が係止部５１５に係止され、カードＡがロックされた状態について示している。カードＡがロックされた状態においては、カードＡ用コンタクト２１２の湾曲形状部２１３は、カードＡの凹部７０５に入り込み、その頂部２１３ａが接触パッド７０６に接触した状態となっている。
【００５３】
カードＡがロックされた状態においても、図１５に示すように、板状部５０６に設けられた係合部５０６ａは、カードＡの凹部７０３に収容され、係合した状態を維持している。このとき、カバー部材３に設けられた付勢片３０２は、カードＡの枠部材７０４に接触した状態となる。なお、この付勢片３０２は、カードＡ用コンタクト２１２の湾曲形状部２１３が接触パッド７０６に接触するのに先立って枠部材７０４に接触する。これにより、カードＡ用コンタクト２１２の湾曲形状部２１３が接触パッド７０６に接触する前にカードＡにおける接地を確保することができるものとなっている。
【００５４】
このように本実施の形態に係るコネクタ１においては、カードＡの凹部７０３に係合する樹脂製の係合部５０６ａを有するスライド部材５０１を、圧縮ばね５０２の付勢力に抗して排出位置に係止可能とする一方、ハウジング２内で凹部７０３が係合部５０６ａに係合するための移動を許容しながらカードＡを係合部５０６ａ側に付勢片３０２により付勢していることから、金属ばねからなる係合片を係合させる場合のようにカードＡの樹脂ケースに過度の負荷を与えることなくカードＡを保持できるので、カードＡの一部が削れる事態を発生させることなく、カードＡの不所望な飛び出しを防止することが可能となる。
【００５５】
また、本実施の形態に係るコネクタ１においては、ハウジングの一部を金属製のカバー部材３で構成し、このカバー部材３の一部に付勢片３０２を設けていることから、カードＡを係合部５０６ａ側に付勢するための特別な構成を用意する必要がなくなるので、コネクタ１を構成する部品点数を低減すると共にその製造コストを低減することが可能となる。
【００５６】
特に、本実施の形態に係るコネクタ１においては、カードＡを係合部５０６ａ側に付勢する付勢片３０２でカードＡの接地を確保する接地用ばねを構成していることから、カードＡを係合部５０６ａ側に付勢するための機能を接地用ばねに持たせることができるので、カバー部材３の構成を簡略化することが可能となる。
【００５７】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【符号の説明】
【００５８】
１  カード用コネクタ（コネクタ）
２  ケース
２０１  ベース部
２０２  側壁部
２０３  係合片
２０４  第１ガイド部
２０５  第２ガイド部
２０６  収容部
２０７  保持片
２０８  係止穴
２０９  後壁部
２１０  カードＢ用コンタクト
２１１  湾曲形状部
２１１ａ  頂部
２１２  カードＡ用コンタクト
２１３  湾曲形状部
２１３ａ  頂部
２１４、２１５  検出用コンタクト
２１４ａ、２１５ａ  湾曲形状部
２１４ｂ  張出部
２１６  突出片
２１７  突出壁
３  カバー部材
３０１  切り欠き部
３０２  付勢片
３０３  支持片
３０４  開口部
４  カード挿入口
５  シャッタ機構
５  排出機構
５０１  スライド部材
５０２  圧縮ばね
５０３  係止部材
５０４  第１当接部
５０５  第２当接部
５０６  板状部
５０６ａ  係合部
５０７  規制部
５０７ａ  テーパ面
５１１  ガイド溝
５１２  ハート形カム
５１３  第１ガイド溝
５１４  第２ガイド溝
５１５  係止部
５１６  凹み溝
５１７  直線状ガイド溝
６  検出機構
６０１  板状部
６０２  当接部
７０３  凹部
７０４  枠部材
７０５  凹部
７０６  接触パッド
７０７  仕切り壁
８０２  凹部
８０３  接触パッド
８０４  仕切り壁
【図１】
2011060572.tif 000003
【図２】
2011060572.tif 000004
【図３】
2011060572.tif 000005
【図４】
2011060572.tif 000006
【図５】
2011060572.tif 000007
【図６】
2011060572.tif 000008
【図７】
2011060572.tif 000009
【図８】
2011060572.tif 000010
【図９】
2011060572.tif 000011
【図１０】
2011060572.tif 000012
【図１１】
2011060572.tif 000013
【図１２】
2011060572.tif 000014
【図１３】
2011060572.tif 000015
【図１４】
2011060572.tif 000016
【図１５】
2011060572.tif 000017